(57)【要約】【課題】登録されたデータと計測されたガス流量を比較し、使用ガス器具の判別を可能とすること。【解決手段】家庭用ガス供給管に接続され、ガス流量を計測する流量計測手段３と情報入力手段６と情報入力手段６により登録されたデータを記憶する登録記憶手段７と登録記憶手段７のデータをもとに流量計測手段３で計測されるガス流量値と比較し、使用ガス器具を判断する器具判定手段８を有する。【選択図】図１
2006200802.tif 000002
【特許請求の範囲】
【請求項１】
家庭用ガス供給管に接続されガス流量を計測する流量計測手段と、使用するガス器具の登録データを入力する情報入力手段と、前記情報入力手段により入力された登録データを記憶する登録記憶手段と、前記登録記憶手段の登録データと前記流量計測手段で計測されるガス流量値とを比較し使用ガス器具を判断する器具判定手段を有するガスメータ。
【請求項２】
登録された各ガス器具の使用履歴を記録する履歴記憶手段を備える請求項１記載のガスメータ。
【請求項３】
履歴記憶手段のデータと流量計測手段で計測されるガス流量値とを比較し、判別された器具使用の終了を判断する請求項２に記載のガスメータ。
【請求項４】
情報入力手段は、使用ガス器具の流量パターンを登録データとして入力される請求項１〜３のいずれか１項に記載のガスメータ。
【請求項５】
ガス器具の認識コードと前記認識コードに対応した流量パターンが予め記録された登録記憶手段を有し、情報入力手段は、設置ガス器具の認識コードを登録データとして入力される請求項１〜３のいずれか１項に記載のガスメータ。
【請求項６】
情報入力手段が、設置ガス器具の認識コードを登録データとし、入力された前記認識コードに対応した流量パターンを外部データベースから取得する接続手段を有する請求項１〜３のいずれか１項に記載のガスメータ。
【請求項７】
流量パターンは、時間の経過により流量値が特徴的な波形を形成する部分の抽出データとする請求項４〜６のいずれか１項に記載のガスメータ。
【請求項８】
情報入力手段が、登録記憶手段内の登録データの修正及び削除操作を行う情報修正機能を有する請求項１〜７のいずれか１項に記載のガスメータ。
【請求項９】
登録記憶手段が、登録された登録記憶手段データの流量パターンと判別された器具の使用時の流量変化パターンとの差分を補正し、登録記憶手段のデータを更新するデータ補正機能を有する請求項４〜８のいずれか１項に記載のガスメータ。
【請求項１０】
超音波流量計測により構成される流量計測手段を備える請求項１〜９のいずれか１項に記載のガスメータ。
【発明の詳細な説明】
【技術分野】
【０００１】
本発明は、各家庭でのガス供給管の入り口部分に設置され、ガス流量を計測するガスメータにおいて、ガス器具毎に応じた高度な保安機能やサービスを提供するために使用中のガス器具を判別検知する技術に関する物である。
【背景技術】
【０００２】
従来、この種のガスメータの事例としては、以下に示すような構成がある（例えば、特許文献１参照）。
【０００３】
一般的に各家庭には図１１に示すように、ガス供給ラインの入り口にガスの流量計を内蔵したガスメータ１６が取り付けられている。
【０００４】
現状多くのガスメータ１６にはガス流量の計測という基本的な機能に付加して、異常時発生時にはガス供給を遮断する保安機能を有している。例えば、地震に対しては感震器を内蔵し、振動を検知し、ガスを遮断する。またガスの漏洩に対しては、ある所定量で所定時間以上ガスが流れている場合異常と見なしてガスを遮断する仕組みを有している。
【０００５】
しかしながらこの保安機能をさらに進化させるためには、使用器具の判別を行い、器具に応じた遮断条件を設定してやる必要があり、以下のような提案がなされている。すなわち計測されるガス流量に応じて、その流量変化から、使用されているガス器具を類推するアルゴリズムを提唱するものである。
【特許文献１】特開平３−２３６５１３号公報
【発明の開示】
【発明が解決しようとする課題】
【０００６】
しかしながら、前記従来の構成では、ガスメータ１６の重要な機能である保安機能において、ガス流量の発生が検出されたのち、ガスが継続して使用された際、使用継続時間が長い場合、ガス漏れなどの異常事態を想定して一定時間でガスを遮断するようになっているが、器具の使用状態を判別しての判断でなく、ガス流量が大きい場合には時間を短く、暖房のようなガス使用量が少ない場合の想定では、時間を長く設定し対応している。
【０００７】
しかしながら、使用器具を特定していないので、ガス流量に対する遮断時間の設定では、例えばガス流量が暖房器具と同程度のコンロなどに対しては、安全機能としての役割が不十分であり、使用のガス器具に応じて保安することは従来構成においては難しい。
【０００８】
またこの問題に対して、これまでガスメータ１６が検出するガス流量から、使用中のガス器具を判定するため、ガスメータ１６の流量変化認識手段からの情報により推論によるガス器具判別が提案されているが、その判別ロジックは極めて曖昧であり、高い精度で使用中のガス器具を判定することは難しく、高度な保安機能や最適なサービスの提供に利用することは困難であった。
【０００９】
本発明は、前記従来の課題を解決するもので、使用器具を特定でき、使用ガス器具に応じた保安機能を有するガスメータを提供することを目的とする。
【課題を解決するための手段】
【００１０】
前記従来の課題を解決するために、本発明のガスメータは家庭用ガス供給管に接続され、ガス流量を計測する流量計測手段に加え、器具情報入力手段と器具情報入力手段により登録されたデータを記憶する登録記憶手段と登録記憶手段のデータをもとにガス流量計測手段で計測されるガス流量値と比較し、使用ガス器具を判断する器具判定手段を有する構成である。
【発明の効果】
【００１１】
本発明のガスメータは、各家毎個別に、ガスメータにその家にあるガス器具の登録を行う構成とし、登録するデータとして各機器に特徴的な流量パターンを登録するため、判定する機器の数が個々の家庭内の登録機器に限られ比較するデータ数が少なくなると共に、判定基準となる各機器の流量パターンを比較基準データとして記憶させるため、器具判別の信頼性が向上し、器具判別が簡単なアルゴリズムで高い判定能力をもつことが可能となり、使用器具に対応した保安設定値を最適に変更することや、使用機器に対応したガス料金の設定など、新たなサービスの提供を可能とする。
【発明を実施するための最良の形態】
【００１２】
第１の発明は、家庭用ガス供給管に接続され、ガス流量を計測する流量計測手段とガス器具の情報入力手段と情報入力手段により登録されたデータを記憶する登録記憶手段と登録記憶手段のデータをもとに流量計測手段で計測されるガス流量値と比較し、使用ガス器具を判断する器具判定手段を有するガスメータであって、各家毎個別に、その家にあるガス器具の登録を行う構成するので、器具判別の信頼性が向上し、器具判別が簡単なアルゴリズムで高い判定能力をもたせることが可能となる。
【００１３】
第２の発明は、特に、第１の発明において、登録された各ガス器具の使用履歴を記録する履歴記憶手段を備えるガスメータであって、各ガス器具別使用量と使用時間がリアルタイムまたは事後においても把握でき、器具別料金の新設や器具別の保安条件の設定がより細かく設定が可能になり、消費者に新しいサービスの提供が可能となる。
【００１４】
第３の発明は、特に、第２の発明において、履歴記憶手段のデータと流量計測手段で計測されるガス流量値と比較し、判別された器具使用の終了を判別することを可能とし、より器具判別機能の充実及び新サービスの提供を図れるものである。
【００１５】
第４の発明は、特に、第１〜３のいずれか１項の発明の情報入力手段の入力として設置器具の流量パターンを登録する構成であって、登録された流量パターンと実際に計測されるガス流量値の変化を比較し、どの器具が使用されているかを判断するため、誤認少なく使用されている器具の判別を行うことができる。
【００１６】
第５の発明は、特に、第１〜３のいずれか１つの発明においてガスメータは、ガス器具個々に付された認識コードとその認識コードに対応するガス器具の流量パターンをデータとして記録されている登録記憶手段を有し、設置器具の登録においては、その器具に対応した認識コードを入力（登録）することで計測されるガス流量値変化と認識コードに対応したガス流量パターンの比較により使用されているガス器具の判別を行うことにより、誤認少なく器具判別を行うことができる。
【００１７】
第６の発明は、特に、第１〜３のいずれか１項の発明の情報入力手段において、設置された器具に対応した認識コードを入力することにより、その認識コードに対応した流量パターンを情報入力手段と接続された外部情報データベースからガスメータ内の登録記憶手段にデータをダウンロードする構成とすることにより、ガスメータ自身が市場にあるすべての器具の流量パターンを記憶・保持する必要が無く、また流量パターンを一括管理できるため、データの更新や修正も容易である。
【００１８】
第７の発明は、特に、第４〜６のいずれか１つの発明の器具情報入力手段における入力情報で各ガス器具の流量パターンにおいて、器具の制御仕様など特徴的な流量変化のデータを抽出選択して器具判別情報データとすることで、より器具判別精度の向上を図ることができる。
【００１９】
第８の発明は、特に、第１〜７いずれか１つの発明の登録記憶手段内のデータ情報の修正や削除を行う情報修正機能を有する情報入力手段とすることにより、使わなくなった器具の登録抹消や器具の不具合による修理や交換などによる登録設定情報の変化にも対応することが可能となる。
【００２０】
第９の発明は、特に、第４〜８いずれか１つの発明の登録記憶手段において登録された流量パターンと判別手段により判別され流量計測手段により計測される流量値の変化との比較において個体差、経年変化などにより、その入力データと実際の流量変化値の差が所定以上になると、データ補正を行う機能を有し、登録されているデータを実計測データで補正することで、常に器具判別の精度を高く維持することが可能となる。
【００２１】
第１０の発明は、特に、第１〜９いずれか１つの発明の流量計測手段において、超音波による計測構成とすることで、流量値の計測範囲も広く、かつ瞬時流量計測も可能であるため、より正確な流量計測が行え、器具判別に対する信頼性向上も図るガスメータを構成することが可能となる。
【００２２】
（実施の形態１）
図１は、本発明の実施の形態１におけるガスメータの概略構成図を示すものである。
【００２３】
図１において、１はガスメータであり、ガス供給管の途中に設けられ、その下流側の配管には各顧客宅内に設置された１台以上のガス器具が接続されている。
【００２４】
ガスメータ内部はガス管に接続されたガスの流路内に設けられたガス遮断弁２とガス流量計測手段３とガス流量計測手段３からの信号を演算処理して使用ガス流量を表示する表示部４、また地震などの振動を検出する感震器５、及び本発明に係わるガス器具判別を行うため、情報入力手段６、登録記憶手段７及び器具判定手段８と感震器の作動や器具判断、保安機能その他を統括制御処理する制御回路９及びそれらの動力源となる電池（図示せず）を内蔵している。
【００２５】
情報入力手段６としては、ガスメータ１本体に内蔵されていても外部からの接続形態でもかまわない。本発明においては、図２に示すように数値及び記号等が入力できる入力キー１０列及び外部機器との接続手段１１を有している。なお、通常はこの入力キー１０部にはカバー（図示せず）がされており、不用意に操作できないようになっている。
【００２６】
登録記憶手段７は、登録されたデータを記憶保持する半導体メモリまたは、記録の追加、書き換えができるものであれば、磁気記録媒体その他でも可能である。
【００２７】
器具判定手段８は、登録データと計測流量値より使用ガス器具を判定するものであるがその動作については後述する。
【００２８】
なお、本発明の流量計測手段３に関しては、超音波方式の計測部を有しているが、計測方式としては、他の流量計測方式でも短時間のサイクルで連続計測可能であれば使用可能である。
【００２９】
以下、動作について説明する。
【００３０】
まず超音波方式の流速計測に関して図３をもとに説明する。計測流路１２は矩形断面を持っており、計測流路１２のガスの流れる方向と直角方向にある壁面には計測流路１２を挟んで一対の超音波送受信器１３、１４が計測流路１２の上流側と下流側で角度φを有して斜めに対向して装着されている。超音波送受信器１３、１４間で交互に超音波を送受信させて流体の流れに対して順方向と逆方向の超音波の伝搬時間の差を一定間隔を置いて計り、伝搬時間差信号として出力する働きを持つ。この伝搬時間差信号を受けて演算手段（図示せず）により被計測流体の流速及び流量を算出するものである。
【００３１】
演算式を下記に示す。
【００３２】
図３においてＬは測定距離であり、ｔ１を上流からの伝達時間、ｔ２を下流からの伝達時間、Ｃを音速とすると、流速Ｖは
Ｖ＝Ｌ／２ｃｏｓφ（１／ｔ１−１／ｔ２）      （１）
計測の時間間隔は超音波の送受信が可能な範囲で設定できるが、器具判別を行うためには０．１秒の分解能があれば充分である。
【００３３】
次に器具登録を行う手順について説明する。その流れ図を図４に示す。
【００３４】
ガスメータ１に登録する情報としては、上記したように各ガス機器の使用時に発生する流量パターンを用いる（ステップ１）。図５にその一例を示す。実際の登録データとしては、器具スタート時から０．２秒毎の流量値のデータを所定時間分記憶したものである。なお、データの時間間隔としては０．２秒に限定する必要はなく、要求される器具判別能力により任意に設定できるものである。
【００３５】
流量パターンの登録方法は、ガスメータ１の記憶手段には予め各ガス機器の流量パターンとそれに対応するコードナンバーを保持記憶している（ステップ２）。
【００３６】
情報入力手段６の入力キー１０から設置する器具のコードナンバーが登録必要数分だけ入力され登録記憶手段７に記憶される。
【００３７】
ガスメータ１では一定間隔毎にガス流量を計測し、新たに計測されたガス流量値が直前の値から所定値以上増加すると、新たな器具が使用されたと判断し（ステップ３）、その流量変化と登録記憶手段に登録された器具のコードに対応する流量パターンと比較を行い（ステップ４，５）、使用されている器具の判別を行う（ステップ６）。
【００３８】
なお、図６に示すようにガスメータ１に履歴記憶手段１５を有し、ガス流量の測定値を時系列で保持記憶することにより、過去の推移と、新たに計測されたガス流量値を比較するため（ステップ１１〜１３）、より新たな器具が使用されたかどうかの判断の信頼性が向上する（ステップ１４）。
【００３９】
なお、図７の流れ図に示すように履歴記憶手段１５に残されている器具使用前の流量データと現在の使用データとを比較し、ガス流量値が器具使用前の値に戻ったことを検知し（ステップ１５）、使用終了判断の機能を有すことも可能である（ステップ１６）。
【００４０】
なお、流量パターンの登録方法としては、図８に示すようにガスメータ１と外部のデータベースとを接続し、図９に示すように、新規に登録するガス機器の認証コードをキー入力で登録すると（ステップ２１）、データ登録手段によりその認証コードに対応した流量パターンがデータベースよりダウンロードされ（ステップ２２）、登録記憶手段７に保存される（ステップ２３）。そして、ガスメータ１では一定間隔毎にガス流量を計測し、新たに計測されたガス流量値が直前の値から所定値以上増加すると、新たな器具が使用されたと判断し（ステップ２４）、その流量変化と登録記憶手段に登録された器具のコードに対応する流量パターンと比較を行い（ステップ２５，２６）、使用されている器具の判別を行うものである（ステップ２７）。
【００４１】
なお、この外部データとの接続形態は有線でなくても無線タイプのもの、あるいはデータが記憶されたメモリ部材を直接接続するようなものでも使用可能である。
【００４２】
なお、流量パターンは図１０に示されるような、ある時間間隔のデータの差や最大値などの特徴的な数値を（表１）のようにテーブル化したものを使用し、実際に計測される流量値との比較でも使用可能である。
【００４３】
【表１】
2006200802.tif 000003
【００４４】
また、登録記憶手段７内に登録されている登録データは、情報入力手段６によるキー操作により修正、削除することを可能とすることで、無駄なデータや、誤動作を起こす可能性のあるデータを排除でき、常に最適な判断データのガスメータ１内への構築ができ、またメモリの削減、消費電力の低減も行うことができる。
【００４５】
なお、初期に登録された流量パターンに対して、実使用状態での器具の流量変化のパターンに差がある場合や、経時変化により差が生じた場合、その差が所定値以上であると実際の流量値との差分分のデータを補正し、データの更新・補正を行う機能を制御手段が有することにより、器具判別の精度をより向上させることが可能となる。
【００４６】
なお、履歴記憶手段１５に保持されたデータを接続端子より外部に取り出し、そのデータをもとにガス料金の設定や機器の使用状態を把握して、効率よくガス器具を使えるようにマネイジメントサービスなど種々の利用方法が可能である。
【産業上の利用可能性】
【００４７】
以上のように、本発明にかかるガスメータは、登録するデータとして各機器に特徴的な流量パターンを登録するため、判定する機器の数が個々の家庭内の機器に限られ比較するデータとの数が少なくなると共に、判定基準となる各機器の流量パターンを登録するため、その信頼性も高くなり、器具判別が簡単なアルゴリズムで高い判定能力をもつことが可能となり、使用器具に対応した保安設定値を最適に変更することや、使用機器に対応したガス料金の設定など、新たなサービスの提供を可能とする。
【図面の簡単な説明】
【００４８】
【図１】本発明の実施の形態におけるガスメータの構成図
【図２】本発明の実施の形態におけるガスメータの情報入力部正面図
【図３】本発明の実施の形態におけるガスメータの流量計測部構成図
【図４】本発明の実施の形態におけるガスメータの器具登録の流れ図
【図５】本発明の実施の形態におけるガスメータの登録流量の特性図
【図６】本発明の実施の形態におけるガスメータの構成図
【図７】本発明の実施の形態におけるガスメータの終了判断の流れ図
【図８】本発明の実施の形態におけるガスメータの外部データとの接続構成図
【図９】本発明の実施の形態におけるガスメータの器具登録の流れ図
【図１０】本発明の実施の形態におけるガスメータの登録流量の特性図
【図１１】従来のガスメータの配置図
【符号の説明】
【００４９】
１  ガスメータ
２  ガス遮断弁
３  流量計測手段
４  表示部
５  感震器
６  情報入力手段
７  登録記憶手段
８  器具判定手段
９  制御回路
１０  入力キー
１１  接続手段
１２  計測流路
１３，１４  超音波送受信器
１５  履歴記憶手段
【図１】
2006200802.tif 000004
【図２】
2006200802.tif 000005
【図３】
2006200802.tif 000006
【図４】
2006200802.tif 000007
【図５】
2006200802.tif 000008
【図６】
2006200802.tif 000009
【図７】
2006200802.tif 000010
【図８】
2006200802.tif 000011
【図９】
2006200802.tif 000012
【図１０】
2006200802.tif 000013
【図１１】
2006200802.tif 000014